(57)【特許請求の範囲】
【請求項１】
掃除用具であって、
柄と、
第１のワイピング側と、前記第１のワイピング側の反対側の第２のワイピング側とを含むワイピングボディであって、前記ワイピングボディの長さ及び幅がそれぞれ前記第１のワイピング側と第２のワイピング側との間の厚さの少なくとも５倍である、ワイピングボディと、
粘着性の表面を備え、前記第１のワイピング側及び前記第２のワイピング側の周囲を連続的に巻くことによって前記ワイピングボディを覆う捕獲シートであって、該捕獲シートの粘着性の表面が前記ワイピングボディから外向きに面している捕獲シートと、
前記柄を前記ワイピングボディと接続するための支持体であって、前記捕獲シートを固定するための取り付け機構を含む支持体と、
を備え、
前記第１のワイピング側及び前記第２のワイピング側はそれぞれ平面であり、前記支持体から延びている、
掃除用具。
【請求項２】
前記ワイピングボディが、可撓性のスポンジブロックを備える、請求項１に記載の掃除用具。
【請求項３】
前記ワイピングボディが、前記第１のワイピング側及び前記第２のワイピング側が被掃除面と平行となるようにたわむことが可能である、請求項１に記載の掃除用具。
【請求項４】
前記ワイピングボディが、中実であり連続していて、かつ可撓性の材料である、請求項１に記載の掃除用具。
【請求項５】
前記ワイピングボディの長さ及び幅が、前記第１のワイピング側と前記第２のワイピング側との間の前記厚さの少なくとも１０倍である、請求項１に記載の掃除用具。
【発明の詳細な説明】
【技術分野】
【０００１】
本発明は、周囲に捕獲シートを伴う床掃除用具に関する。具体的には、本発明は、前記用具の頭部に覆い被せられた取り外し式捕獲シートを含む床掃除用具に関する。
【背景技術】
【０００２】
長い取っ手のある箒は、泥、埃、又は塵を床から集めるために効果的である。しかし、床から塵を取り上げるために、分離した塵取りが必要である。塵を集めるために別途に塵取りを持つことは不便な場合がある。また、塵を塵取りに掃き入れることに関しても、しばしば、少量の塵が床に残ることがある。また、箒自体もたいへん汚れ、かつ毛髪及び塵がからまる場合がある。
【０００３】
取り外し式シートを伴うフラットモップは、床掃除のもう１つの方法である。典型的には、これらのフラットモップはダスティングにより好適であり、多量の泥又は塵を集めて回収するためにはあまり適していない。フラットモップは床全体にわたって連続的に押される。
【発明の概要】
【発明が解決しようとする課題】
【０００４】
したがって、床とフラットモップとの間に捕らわれた大きい粒子が床に沿って押され、床を傷つける場合がある。
【課題を解決するための手段】
【０００５】
塵を床から集めて取り上げるための改善された方法を提供する床掃除用具が開示される。この床掃除用具は、掃除用具を清浄に保ち、ごみを包含する取り外し式の捕獲シートの便利さに、箒で引く又は掃く作用を組み合わせたものである。一実施形態では、床を掃除するために掃除用具をたわませ、フラットモップのように床全体にわたって移動させることができる。
【０００６】
一実施形態では、床掃除用具は柄と、この柄と一端が接続されている中実で連続している材料を含むワイピングボディと、このワイピングボディを覆う捕獲シートとを有する。ワイピングボディは、第１のワイピング側と、この第１のワイピング側の反対側の第２のワイピング側とを含むものであり、ワイピングボディの長さ及び幅は、それぞれ、第１のワイピング側と第２のワイピング側との間の厚さの少なくとも５倍である。捕獲シートは、第１のワイピング側及び第２のワイピング側の周囲を連続的に巻くことによってワイピングボディを覆う。一実施形態では、捕獲シートは、ワイピングボディから外向きに面している粘着性の表面を含む。
【０００７】
一実施形態では、床掃除用具は柄と、この柄と一端が接続されているワイピングボディと、粘着性の表面を備える捕獲シートとを備える。ワイピングボディは、第１のワイピング側と、この第１のワイピング側の反対側の第２のワイピング側とを含むものであり、ワイピングボディの長さ及び幅は、それぞれ、第１のワイピング側と第２のワイピング側との間の厚さの少なくとも５倍である。捕獲シートは、第１のワイピング側及び第２のワイピング側の周囲を連続的に巻くことによってワイピングボディを覆う。捕獲シートの粘着性の表面はワイピングボディから外向きに面している。
【０００８】
一実施形態では、床掃除用具は柄と、この柄と一端が接続されている可撓性のワイピングボディと、粘着性の表面を備える捕獲シートとを備える。ワイピングボディは、第１のワイピング側と、この第１のワイピング側の反対側の第２のワイピング側とを含むものであり、ワイピングボディの長さ及び幅は、それぞれ、第１のワイピング側と第２のワイピング側との間の厚さの少なくとも５倍である。捕獲シートは、第１のワイピング側及び第２のワイピング側の周囲を連続的に巻くことによってワイピングボディを覆う。捕獲シートの粘着性の表面はワイピングボディから外向きに面している。
【図面の簡単な説明】
【０００９】
【図１】床掃除用具の一実施形態の斜視図。
【図２】ワイピングボディを覆う捕獲シートを伴う図１の床掃除用具の一実施形態の斜視図。
【図３】使用中に曲げられた図２の床掃除用具の一実施形態の斜視図。
【００１０】
上記の図面は、本発明の実施形態を表しているが、説明において述べるように、他の実施形態も企図される。いかなる場合も、本開示は、本発明を、限定するのではなく代表して提示するものである。発明の範囲及び趣旨の中で、多くの他の修正及び実施形態が、当業者によって考案され得ることを理解されたい。
【００１１】
図面は縮尺通りに描かれていない場合がある。
【発明を実施するための形態】
【００１２】
図１は、床掃除用具１００の一実施形態の斜視図である。床掃除用具１００は、柄１１０とワイピングボディ（wiping body）１５０とを含む。一実施形態では、柄は、ワイピングボディ１５０との接続のための機構を提供する支持体１２０を含む場合がある。床掃除のために、柄１００は典型的には長い柄である。しかし、一実施形態では、掃除用具１００は短い柄を有する場合がある。
【００１３】
ワイピングボディ１５０は柄１１０の基部まで直接延びる場合がある。そのような実施形態では、ワイピングボディ１５０の一部分は、ワイピングボディ１５０を柄と接続する「支持体」として機能することになる。そのような実施形態では、取り付け機構をワイピングボディ１５０に直接含めることができる。例えば、フック、接着剤、又は機械的な締結具を含めることができる。
【００１４】
より典型的には、柄１１０をワイピングボディ１５０と接続するための機構を提供する支持体１２０が含められる。支持体１２０は概して剛性であり、ワイピングボディ１５０と固定される。支持体１２０は、捕獲シート２００（図２）を床掃除用具１００に固定するための取り付け機構を含む。この実施形態では、取り付け機構は、捕獲シート２００を挟むために可撓性であり開いている、一連の固定グリップ１３０である。取り付け機構は、捕獲シートのループと固定されるためのフックである場合、捕獲シート２００と固定されるための接着剤である場合、又は任意の他のタイプの機械的な締結具である場合がある。
【００１５】
柄１００は、恒久的に、又は取り外し可能に、支持体１２０に接続される。柄１００は、支持体１２０の受け取りねじ山にねじ入れることができる、又は支持体１２０にスナップ嵌めすることができる。柄１００は、柄１１０に十分な力が付加されたときに支持体１２０がワイピングボディ１５０と共にたわんで被掃除面と平行になるように、たわむように支持体１２０と接続することができる。支持体１２０及び柄１１０は互いに独立して、床掃除用具１００に構造的安定性を提供するプラスチック、木材、金属、又は複合材で作製され得る。
【００１６】
ワイピングボディ１５０の一方の端は支持体１２０に接続され、もう一方の端１５６は自由である、すなわち、接続されていない。自由端１５６で床を掃いて塵を集める。ワイピングボディ１５０は第１のワイピング側（wiping side）１５２と、この第１のワイピング側１５２の正反対側の第２のワイピング側１５４とを含む。一実施形態では、ワイピング側１５２、１５４はそれぞれ概して平面である。
【００１７】
ワイピングボディ１５０の「長さ」は、支持体１２０から自由端１５６までの距離である。「幅」は、概してワイピング側１５２に沿って接触するワイピングボディ１５０に沿った距離である。「厚さ」は、前記幅を備える２つのワイピング側の間の距離である。概して、ワイピングボディ１５０は、１回の掃く運動において掃除用具１００がより多く使用されるように、相当に長い長さを有する。一実施形態では、長さは厚さの距離の少なくとも３倍である。幅は、典型的には、長さの距離以上であり、最高その４倍である。また、ワイピングボディ１５０は、典型的には、ワイピングボディ１５０が相当に可撓性になるように相当に薄い。長さと幅は、それぞれ、厚さの距離の少なくとも５倍である。
【００１８】
一実施形態では、ワイピングボディ１５０は中実（solid）材料である。一実施形態では、ワイピングボディ１５０は、支持体１２０から延出した、中実で連続している材料であり、すなわち、ワイピングボディ１５０の長さ、幅、及び厚さ、及び柄との取り付け部の近くにかけて全体に、ワイピングボディは１つの連続している材料である。図に示されるように、ワイピングボディは支持体１２０の取り付け部から自由端１５６への完全に中実であり連続している。別の実施形態では、ワイピングボディは支持体１２０での取り付け部で中実であり連続しているが、支持体１２０から一定距離だけ離されたワイピングボディ１５０は、その材料に断続エリア、空間、又は開口部を有する場合がある。ワイピングボディ１５０は、典型的に、可撓性であり、かつ柔軟性がある。一実施形態では、中実であり連続している材料は液体を吸収することができる。中実であり連続している材料として好適な材料としては、セルローススポンジ又は合成スポンジが挙げられる。合成スポンジは連続気泡であっても独立気泡であってもよい。ワイピングボディ１５０として好適なその他の材料としては、スクイージーの様なブレードを形成するプラスチックが挙げられる。そのような実施形態では、材料は、典型的には、幅又は長さに比べ厚さははるかに薄い。例えば、前記材料の長さは厚さの少なくとも１０倍、幅は厚さの少なくとも１０倍である。したがって、材料はたいへん可撓性であり、柄に付加された力による作用が与えられると曲がって平らになることができる。中実で連続している材料であるワイピングボディ１５０の中実材料は掃除中に材料をほとんど通過させないので、ワイピングボディ１５０は多量の塵を集めることができる。中実で連続している材料は、典型的には、隅に入り込んで壁に沿って上手く通ることができる鋭角を有する。また、長くて比較的薄い（relatively think）ワイピングボディ１５０は、キッチンの戸棚と電化製品との間のような狭い隙間に挿入することができる。
【００１９】
中実で連続している材料は、床から塵を集め取ることを助ける。この固い材料は、掃除用具１００に使用者が付加する掃く作用に抵抗して、掃除されている表面に対してよりしっかりと押し付けることになる。一実施形態では、スポンジのジュロ硬度（ショア００）は少なくとも１０である。別の実施形態では、スポンジのジュロ硬度（ショア００）は少なくとも２０である。
【００２０】
ワイピングボディ１５０の代表的な材料としては、あらゆるタイプの発泡体、多孔質ゴム、シリコーン、合成材料、合成発泡体、ポリエステル成形品、セルロース材料、スポンジ材料が挙げられる。具体的な代表的材料又は材料基材としては、ポリエーテル又はポリエステル、低密度又は高密度のもの、小孔径又は大孔径又はツイン孔径のもの、独立又は連続気泡のもの、非難燃性又は難燃性のもの、可撓性又は半剛性のもの、プレーン、メラミン又は処理後の含浸発泡体及びこれらと同様のものが挙げられる。また、ネオプレン、天然ゴム、ＳＢＲ、ブチル、ブタジエン、ニトリル、ＥＰＤＭ、ＥＣＨ、ポリスチレン、ポリエチレン、ポリプロピレン、ＥＶＡ、ＥＭＡ、メタロセン樹脂、ポリウレタン、ＰＶＣ、及び上記のいずれかの配合物、及びこれらと同様のものが挙げられる。天然スポンジを使用することができ、天然スポンジとしては、水生動物門である海綿動物門からのもの、例えば水を保持するために使用される特定の種の骸骨を乾燥及び加工したものが挙げられる。好ましくは、セルロース系のスポンジを使用することができる。セルロース系のスポンジとしては、例えば、植物生成物由来のものが挙げられる。より好ましくは、合成発泡体を使用することができ、更により好ましくは、合成発泡体を少なくとも１つの面に使用し、ポリエステルを少なくとも１つの面に使用することができる。合成スポンジは、例えば、多孔質ゴム、合成発泡体、その他のプラスチック及びゴム誘導体、並びに同様のもので構成することができる。
【００２１】
支持体１２０との接続部から自由端１５６まで測定されたときの、中実で連続している材料の長さによって、ワイピングボディの可撓性を増すことができる。一実施形態では、ワイピングボディ１５０の長さは１２．７ｃｍ（５インチ）未満である。別の実施形態では、ワイピングボディ１５０の長さは１０．１６ｃｍ（４インチ）未満である。
【００２２】
別の実施形態では、ワイピングボディ１５０は、支持体１２０から延出している複数の剛毛又は細長い片を備える。剛毛又は細長い片として好適な材料としては、セルローススポンジ、合成スポンジ、又は天然の細長い片、及び／又はポリマーの剛毛が挙げられる。
【００２３】
図２は、図１の床掃除用具１００の一実施形態の斜視図であり、捕獲シート２００がワイピングボディ１５０を覆っている。捕獲シート２００は取り付け機構に接続される。この実施形態では、捕獲シート２００のそれぞれの端は挟み力によって固定グリップ１３０内に保持される。捕獲シート２００は、ワイピングボディ１５０の第１のワイピング側１５２と、自由端１５６と、第２のワイピング側１５４とを連続して周囲を覆っている。したがって、ワイピングボディ１５０の第１のワイピング側１５２を覆う第１の取り上げ面２０２と、ワイピングボディ１５０の第２のワイピング側１５４を覆う第２の取り上げ面２０４とが、掃除用に残されて曝される。
【００２４】
捕獲シート２００は、ワイピングボディを覆うように適用可能であり、かつ表面の掃除又はワイピングに使用可能な任意のタイプの掃除シートであってよい。捕獲シート２００は再使用可能であっても、使い捨てであっても、あるいは半使い捨てであってもよい。捕獲シート２００は濡れていても乾燥していてもよい。
【００２５】
捕獲シート２００は、表面を覆うように滑入するために好適なフィルムであっても、あるいは天然の、合成の、又は天然と合成の混合又はフィラメントから形成される織布、編地、又は不織布であってもよい。捕獲シート２００は複数の材料層を備えてもよい。
【００２６】
一実施形態では、捕獲シート２００は不織ウェブである。この不織ウェブは、任意の好適な融解成形又は機械形成動作によって調製することができる。例えば、この不織ウェブは、毛羽立てられたもの、スパンボンドされたもの、スパンレースされたもの、メルトブローンされたもの、エアレイドされたもの、クレープ加工されたもの、又は他の、当該技術分野で既知のプロセスによって作製されたものであってよい。捕獲シート２００のために好ましい構成要素としては、繊維を形成するものとして既知の１つ以上の多様な熱可塑性ポリマーから作製される不織ウェブが含まれる。好適な熱可塑性ポリマーは、ポリオレフィン（例えば、ポリエチレン、ポリプロピレン、ポリブチレン）、ポリアミド（例えば、ナイロン６、ナイロン６／６、ナイロン１０）、ポリエステル（例えば、ポリエチレンテレフタレート）、アクリル系モノマー含有コポリマー、及びこれらの配合物及びコポリマーから選択することができる。準合成繊維（例えば、アセテート繊維）、天然繊維（例えば、木綿）、再生繊維（例えば、レーヨン）、及び他の非熱可塑性繊維類を前記熱可塑性繊維類と配合することもまた可能である。これらの繊維類は、典型的には、約２〜約３２デニール、より好ましくは約５〜約１５デニールを有する。ワイピング部材の坪量は、好ましくは約１０〜約１５０グラム／平方メートル、より好ましくは約１５〜約１００グラム／平方メートルである。
【００２７】
一実施形態では、捕獲シート２００は、捕獲シート２００の外向きの面と、第１の取り上げ面２０２と、第２の取り上げ面２０４とが粘着性になるように接着剤を含む。この接着剤は捕獲シート２００の一部分を覆っても、あるいは捕獲シート２００の本質的に全体を覆ってもよい。
【００２８】
本発明と共に使用するために好適な接着剤としては、室温で粘着性であり得る任意の接着剤が含まれ、初期から粘着性であるものと、初期は非粘着性であるが活性化によって粘着性になり得るものとの両方が含まれる。好適な接着剤としては、アクリレート、シリコーン、ポリアルファオレフィン、ポリイソブチレン、ゴムブロックコポリマー（例えば、スチレン／イソプレン／スチレンブロックコポリマー及びスチレン／ブタジエン／スチレンブロックコポリマー）、スチレンブタジエンゴム、合成イソプレン、天然ゴム、及びこれらの配合物に基づく材料を含む任意の感圧性接着剤が含まれる。これらの感圧性接着剤は、溶剤から及び水からコーティングされること、放射線重合すること、又は熱溶解加工することができる。これらの感圧性接着剤は、架橋されたものでも架橋されていないものでもよい。架橋工程は、化学的プロセス、イオンによるプロセス、物理的プロセス、又は放射線誘導プロセスを含む周知の方法であってよい。
【００２９】
「Ａ  Ｗｉｐｅ」と題する米国特許出願第２００３−０１７１０５１号は、本発明の捕獲シート２００として使用可能な接着剤を伴う拭き取り用品を開示している。この開示では、拭き取り用品が滑走することを可能にするために、接着剤は拭き取り用品の表面からへこんでいる。しかし、接着剤が作業面の近くにあるので、拭き取り用品は小さい粒子と大きい粒子を多量に保持することができる。
【００３０】
「Ａｄｈｅｓｉｖｅ  Ｗｉｐｅ」と題する米国特許出願第２００７−０１３６９６７号は、本発明の捕獲シート２００として使用可能な粘着性掃除シートを開示している。この開示は、掃除シートの表面上に空隙要素を含むことにより掃除シートの滑走を可能にするが、掃除シートの作業面にも接着剤を含む。
【００３１】
捕獲シートの外向きの表面に粘着性の接着剤を含むことは、捕獲シートが泥、埃、及び塵を収集及び保持する両方の能力を大幅に増す。空隙要素を含む捕獲シートの表面から接着剤をへこませること、又は捕獲シート２００の外向きの面の接着剤の実際量を概して削減することは、被掃除面をシートが容易に滑走することを可能にする。
【００３２】
床掃除用具１００を使用するには、捕獲シート２００を適用してワイピングボディ１５０を覆い、取り付け機構によって固定する。次に、使用者は柄を握り、引く力又は掃く力によって、捕獲シート２００で覆われたワイピングボディ１５０を被掃除面の上で滑走させる。捕獲シート２００はワイピングボディ１５０を清浄に保つ一方で、塵を取り集めて保持する。また、繰り返し掃く運動が用いられるので、通常、粒子はワイピング部材１５０と被掃除面との間で捕らわれず、引っ掻き傷を防止することを可能にし、掃除される。また、塵が隅に押し込まれるモップがけの押す運動でなく、掃くことによる引く運動であるので、塵を隅から引き出して壁から引き離すことができるため、有利である。
【００３３】
図３は、使用中にたわめられた図２の床掃除用具１００の一実施形態の斜視図である。図３に示されるように、ワイピングボディ１５０が可撓性である実施形態では、圧力を掃除用具１００に付加して、ワイピングボディ１５０で被掃除面を押し付けることができる。泥、埃、及び塵を集めた後、捕獲シート２００が取り付けられたワイピングボディ１５０をたわめて、集めた泥、埃、及び塵を取り上げることができる。
【００３４】
集めた塵を塵取りに掃き入れることもできる。捕獲シート２００は、塵取りに掃き入れることがしばしば困難である微細な泥及び埃を保持することができる。
【００３５】
捕獲シート２００が接着剤を含む実施形態では、多量の泥、埃、及び塵を捕獲シート２００に捕獲して保持することができる。接着剤は捕獲シート２００の全表面積を覆うように含められても、あるいは特定の領域のみに含められてもよい。例えば、掃く作用で掃除用具１００を使用したときに集められた塵を掃除シートの下方のエッジに保持するように、ワイピングボディ１５０の自由端１５６の周囲のエリアに対応する細長い片に接着剤を含めることができる。別の例では、図３に示されるようにワイピングボディ１５０がたわめられたときに集められた塵と接触して接着面がそれらを保持するように、接着剤セクションを第１の取り上げ面２０２か、第２の取り上げ面２０４か、それら両方のより中央の領域に含めることができる。
【００３６】
いくつかの実例では、図３に示されるように掃除用具１００をたわませながら被掃除面にわたって滑走させることができる。そのような実例では、掃除用具１００をダスティングモップのように使用することができる。捕獲シート２００が接着剤を含む実施形態では、多量の泥、埃、及び塵を捕獲シート２００に捕獲して保持することができる。
【００３７】
捕獲シート２００が取り付けられたワイピングボディ１５０は、泥、埃、及び塵を拾うため、集めるため、及び捕獲するために利用可能な表面積の量を最大にするために、２つの取り上げ面を含む。１つの側が塵で満たされたときは、掃除用具１００を回転して反対側を使用することができる。
【００３８】
ワイピングボディ１５０がスポンジ材料である実施形態では、ワイピングボディ１５０の材料が液体を吸収するので、濡れこぼした状態を掃除するために掃除用具を使用することができる。そのような実施形態では、ワイピングボディ１５０は湿式モップとしても好適であり、この場合、ワイピングボディ１５０、捕獲シート２００、又はそれら両方の材料は、被掃除面上を通るときに濡れている。
【００３９】
一実施形態では、掃除用具は、中実で連続しているスポンジ材料を備えるワイピングボディ１５０を含む。ワイピングボディ１５０を覆って捕獲シート２００が適用され、一実施形態ではこの捕獲シートは、捕獲シート２００の実質的に全表面積を覆う接着剤を含む。この実施形態では、１つの特に好適な捕獲シート２００は、埋め込まれた接着剤を伴う不織布である。
【００４０】
一実施形態では、掃除用具は剛毛を備えるワイピングボディ１５０を含む。ワイピングボディ１５０を覆って捕獲シート２００が適用され、この捕獲シートは、捕獲シート２００の実質的に全表面積を覆う接着剤を含む。この実施形態では、１つの特に好適な捕獲シート２００は、埋め込まれた接着剤を伴う不織布である。
【００４１】
本発明の具体的な実施形態を本明細書中に示し及び説明してきたが、これら実施形態は多くの考えられる具体的な構成を単に例示しているにすぎず、構成は本発明の原理を適用して考案され得ることは理解されよう。これらの原理にしたがって、当業者は、本発明の趣旨及び範囲から逸脱することなく、多数の様々な他の構成を考案することができる。したがって本発明の範囲は、本願に記載の構造に限定されるべきものではなく、特許請求の範囲の文言により述べられる構造及びそうした構造の均等物によってのみ限定されるものである。
【実施例】
【００４２】
拾い上げ性の試験方法
材料の取り除きは、１．２３ｍ×１．２３ｍのビニル床表面上に材料の測定量（Ｗ１と定める）を分布することによって測定した。捕獲シートのサンプルを掃除用具のワイピング部材に取り付けた。比較データのために、通常のやり方でＳｗｉｆｆｅｒ（登録商標）フラットモップにＳｗｉｆｆｅｒ（登録商標）ドライクロスを取り付けた。本発明のこの掃除用具は、中実で連続している発泡体に取り付けられた支持体を含むものである。この発泡体はＷｍ．Ｔ．Ｂｕｒｎｅｔｔ  ＆  Ｃｏ．から入手可能なＧ４３０エーテル系ポリウレタン（ジュロメータ：ショアＯＯ（３５〜４０）、長さ：２７．９ｃｍ（１１インチ）、厚さ：１．９ｃｍ（０．７５インチ）、高さ：８．８ｃｍ（３．５インチ））である。捕獲シートが取り付けられた掃除用具の重量を測定し、Ｗ２として記録した。
【００４３】
塵の総量（Ｗ１）を３つの均等量に分けた。第１の用量を試験表面に均等に適用した。比較データのために、掃除用ヘッドを試験領域にわたって行き来させ、各側でスイベル回転させた。捕獲シートが取り付けられた本発明のこの掃除用具を、図３に示されるようにワイピングボディをたわませるためにちょうど十分な力を付加して掃く作用で使用した。掃除用具を表面にわたって引きずり、確実にそれぞれの側で掃除用具を浮揚させて、蓄積された積もりが反対方向に押されるようなやり方で再び引きずり始めるようにした。このようにして全表面を掃除してから、再びその垂直方向に掃除した。この手順を用量２及び３についても繰り返した。次に、掃除用具の重量を再び測定した（Ｗ３）。
【００４４】
表面から拭き取りによって取り除かれた材料の重量百分率を次のように計算した。
取り除かれた材料（％）＝［（Ｗ３−Ｗ２）／（Ｗ１）］×１００
【００４５】
表面から取り除かれた材料
ペットの毛：０．９ｇを適用（２．５４〜５．０８ｃｍ（１〜２インチの犬の毛））
破砕したＣｈｅｅｒｉｏｓシリアル：０．７５ｇを適用（０．１２５〜１．４ｍｍ）
砂：３．０ｇを適用（９０〜１４０マイクロメートル）
埃：２．０ｇを適用（ＪＩＳ試験粉末１、クラス７）
砂／埃：２．４ｇの砂（９０〜１４０マイクロメートル）／０．６ｇ（ＪＩＳ試験粉末１、クラス７）の組み合わせ
【００４６】
捕獲シート
非粘着性捕獲シートはオハイオ州シンシナティ所在のＰｒｏｃｔｏｒ  ＆  Ｇａｍｂｌｅから入手可能なＳｗｉｆｆｅｒ（登録商標）ドライクロスであった。
【００４７】
粘着性捕獲シートは、カード不織ウェブ（１５ｄ  ＰＥＴ  ５０％、６ｄ  ＰＥＴ  ３０％、４ｄバイコンポーネントＭｅｌｔｙ  Ｆｉｂｅｒ  ２０％）及びＲＤ−９１４の連続接着剤コーティング１７．５％（３Ｍ  Ｃｏｒｐｏｒａｔｉｏｎから入手可能な水性溶液）の構成物で作製された、接着剤コーティングされた不織布であった。
【００４８】
【表１】
0005514202.tif 000002
【図１】
0005514202.tif 000003
【図２】
0005514202.tif 000004
【図３】
0005514202.tif 000005